(57)【要約】【課題】朝のニュース番組では特に、短時間のうちに視聴者の都合で効率的かつ簡便に視聴することが難しい。【解決手段】番組を構成するセグメント・データを配信する通信サイトの位置情報を検知する配信位置情報検知手段と、前記セグメント・データの内容属性を検知するセグメント・データ検知手段と、前記セグメント・データの内容属性を参照して、前記セグメント・データの提示順を設定する提示順設定手段と、前記提示順にしたがって前記セグメント・データを前記通信サイトから順次取得し連続再生する連続再生制御手段と、前記セグメント・データの連続再生を指示する連続再生指示手段とを具備することを特徴とする放送受信装置。【選択図】      図２
2005033493.tif 000002
【特許請求の範囲】
【請求項１】
番組を構成するセグメント・データを配信する通信サイトの位置情報を検知する配信位置情報検知手段と、
前記セグメント・データの内容属性を検知するセグメント・データ検知手段と、
前記セグメント・データの内容属性を参照して、前記セグメント・データの提示順を設定する提示順設定手段と、
前記提示順にしたがって前記セグメント・データを前記通信サイトから順次取得し連続再生する連続再生制御手段と、
前記セグメント・データの連続再生を指示する連続再生指示手段とを具備することを特徴とする放送受信装置。
【請求項２】
番組を蓄積制御する蓄積制御手段と、
前記蓄積制御手段に蓄積された番組を構成するセグメント・データの内容属性を検知するセグメント・データ検知手段と、
前記セグメント・データの内容属性を参照して、前記セグメント・データの提示順を設定する提示順設定手段と、
前記提示順にしたがって前記セグメント・データを連続再生する連続再生制御手段と、
前記セグメント・データの連続再生を指示する連続再生指示手段とを具備することを特徴とする放送受信装置。
【請求項３】
前記セグメント・データ検知手段は、放送もしくは通信経由で配信されるセグメント・データを受信し再生して検知することを特徴とする請求項１或いは請求項２記載の放送受信装置。
【請求項４】
前記セグメント・データについて、同じ内容属性を待つ複数のセグメント・データが存在する場合は、連続再生指示時点で最新のセグメント・データを選択して提示することを特徴とする請求項１或いは請求項２記載の放送受信装置。
【請求項５】
前記提示順設定手段の提示順にしたがって、セグメント・データを再生中に、前後のセグメント・データを含む別のセグメント・データを再生するよう指示するセグメント・データ再生スキップ手段を具備することを特徴とする請求項１或いは請求項２記載の放送受信装置。
【請求項６】
前記連続再生制御手段は、前記提示順設定手段の提示順にしたがって、繰り返し再生が可能であることを特徴とする請求項１或いは請求項２記載の放送受信装置。
【請求項７】
前記提示順設定手段により対象となるセグメント・データをすべて再生終了した場合或いは操作によって終了指示を行った場合、放送中の番組を選局提示することを特徴とする請求項１或いは請求項２記載の放送受信装置。
【請求項８】
前記連続再生制御手段は、セグメント・データを連続再生中その再生位置を保持し、連続再生を中断した位置から継続的に再生することを特徴とする請求項１或いは請求項２記載の放送受信装置。
【発明の詳細な説明】
【０００１】
【発明の属する技術分野】
この発明は、放送受信装置に関する。
【０００２】
【従来の技術】
放送のニュース番組では、ニュース、スポーツ、天気予報、交通情報などの各コーナー（セグメント、ローカルイベント、以下セグメント）から構成されている。さらに、朝の時間帯ではその内容を適宜更新しながら各セグメントを繰り返し放送するなどして編成上の工夫がなされている。
【０００３】
しかし、番組選局のタイミングによっては視聴者の所望のセグメントが放送されるまでにはかなり時間を要してしまうことがある。
そこで、放送受信機に蓄積機能を搭載し利用することで、ニュース、天気予報などの各セグメント・データを常に蓄積更新し、視聴者は必要なときにそれらにアクセスすることで即座に“いつでもニュース”、“いつでも天気予報“を実現するサービスが検討されている。こうしたサービスを実現するための仕組みの一例として、ＡＲＩＢ  Ｂ１０  第３部で番組内インデックス符号化方式や番組内伝送方式が定義されている。このうち番組内インデックス符号化方式は、番組内の個々のセグメント（ローカルイベントと呼ばれている）の識別子や開始時間、継続時間などを記述するための情報テーブルＬＩＴ（Ｌｏｃａｌ  Ｅｖｅｎｔ  Ｔａｂｌｅ）やローカルイベント間の関係を記述するための情報テーブルＥＲＴ（Ｅｖｅｎｔ  Ｒｅｌａｔｉｏｎ  Ｔａｂｌｅ）を規定し、伝送する。
【０００４】
ところで、受信機側でこれらのサービスや機能を搭載した場合、視聴者はそのままでは都度、それぞれにインタラクティブにアクセスすることになる。このため、たとえば朝の時間帯のように支度をしながら短時間に内容を効率よく視聴したいと考える視聴者にとっては結局操作労力がわずらわしく、十分な利用が見込めない。
【０００５】
【特許文献１】
特許番号  特許第３２５０５０９号公報
【０００６】
【発明が解決しようとする課題】
上記の従来技術では、特に朝のニュース番組では、視聴者の都合で効率的かつ簡便に視聴することが難しいという問題があった。
この発明の目的は、視聴者の意向を反映させた番組内セグメント設定を基にセグメント単位の連続再生を実行する機構を提供することで、必要な情報の短時間かつ簡便な視聴を実現する放送受信装置の提供にある。
【０００７】
【課題を解決するための手段】
上記した課題を解決するために、本発明は、番組を構成するセグメント・データを配信する通信サイトの位置情報を検知する配信位置情報検知手段と、
前記セグメント・データの内容属性を検知するセグメント・データ検知手段と、
前記セグメント・データの内容属性を参照して、前記セグメント・データの提示順を設定する提示順設定手段と、
前記提示順にしたがって前記セグメント・データを前記通信サイトから順次取得し連続再生する連続再生制御手段と、
前記セグメント・データの連続再生を指示する連続再生指示手段とを具備することを特徴とする放送受信装置を提供する。
また、本発明は、番組を蓄積制御する蓄積制御手段と、
前記蓄積制御手段に蓄積された番組を構成するセグメント・データの内容属性を検知するセグメント・データ検知手段と、
前記セグメント・データの内容属性を参照して、前記セグメント・データの提示順を設定する提示順設定手段と、
前記提示順にしたがって前記セグメント・データを連続再生する連続再生制御手段と、
前記セグメント・データの連続再生を指示する連続再生指示手段とを具備することを特徴とする放送受信装置を提供する。
このとき、前記セグメント・データ検知手段は、放送もしくは通信経由で配信されるセグメント・データを受信し再生して検知することが好ましい。
また、前記セグメント・データについて、同じ内容属性を待つ複数のセグメント・データが存在する場合は、連続再生指示時点で最新のセグメント・データを選択して提示することが好ましい。
【０００８】
また、前記提示順設定手段の提示順にしたがって、セグメント・データを再生中に、前後のセグメント・データを含む別のセグメント・データを再生するよう指示するセグメント・データ再生スキップ手段を具備することが好ましい。
【０００９】
また、前記連続再生制御手段は、前記提示順設定手段の提示順にしたがって、繰り返し再生が可能であることが好ましい。
また、前記提示順設定手段により対象となるセグメント・データをすべて再生終了した場合或いは操作によって終了指示を行った場合、放送中の番組を選局提示することが好ましい。
【００１０】
また、前記連続再生制御手段は、セグメント・データを連続再生中その再生位置を保持し、連続再生を中断した位置から継続的に再生することが好ましい。
【００１１】
【発明の実施の形態】
以下、本発明の好ましい実施の形態について、図面を用いて説明する。なお、本発明は、以下の実施の形態に限定されることなく、種々組み合わせて用いることができる。
【００１２】
実施形態１
先ず、実施形態１として、通信機能を利用して番組のセグメント・データを取得し、視聴者の設定にしたがって効率的に連続再生する方法について以下に説明する。
図２にデジタル放送受信装置（以下、ＩＲＤ）の基本構成の一例を示す。
アンテナ端子から入力したＲＦのデジタル放送信号はＩＦに変換されてフロントエンド処理器２１に入力する。フロントエンド処理器２１ではＩＦ信号の中から物理チャンネルを選択し、Ａ／Ｄ変換後、たとえば、ＱＡＭやＱＰＳＫ等の送信側でデジタル変調された信号を復調し、やはり送信側でトレリス／ビタビ符号等の畳み込み符号化やＲＳ（リードソロモン）符号化された信号を、誤り訂正復号処理などを施した上でトランスポート処理器２２に出力する。
【００１３】
トランスポート処理器２２ではＴＳ（Ｔｒａｎｓｐｏｒｔ  Ｓｔｒｅａｍ）の形式で多重されてきた、一般には複数のサービス（放送番組）の中から、リモコンなどから外部入力処理器２５を経て指定される所定のサービスを選択してその番組を構成する映像や音声の信号を多重分離し、デパケット処理を行ってそれぞれの圧縮信号に戻してＭＰＥＧ映像／音声復号器２３に出力する。また、映像、音声とともに多重されているＰＳＩ（Ｐｒｏｇｒａｍ  Ｓｐｅｃｉｆｉｃ  Ｉｎｆｏｒｍａｔｉｏｎ）やＳＩ（Ｓｅｒｖｉｃｅ  Ｉｎｆｏｒｍａｔｉｏｎ）、ＸＭＬ記述言語型メタデータなどの番組関連情報も分離してＲＡＭ２７などに出力する。
【００１４】
映像／音声圧縮復号器２３では映像の場合、たとえばＭＰＥＧ−２の映像圧縮符号化された信号を復号して、Ｙ／Ｃｂ／ＣｒやＲ／Ｇ／Ｂ等のデジタルのコンポーネント信号として出力し、提示制御処理器２４に出力する。音声についても同様にＭＰＥＧやＡＣ３などの音声圧縮復号処理圧縮復号して提示制御処理器２４へ出力する。提示制御処理器２４では必要に応じて入力した映像信号に対しグラフィック出力と重畳処理したり、音声信号をミュートするなどしてディスプレイ（図示せず）へ出力したりする。
【００１５】
なお、ＩＲＤがアナログ出力する場合には図示していないが、提示制御処理器２４の映像／音声出力は、たとえばＤ／Ａ変換後ＮＴＳＣエンコーダを経てＮＴＳＣアナログのコンポジット信号に変換して出力する。
【００１６】
そして、これらの信号処理を適切に行うため、ＣＰＵ２６が用意され、周辺機器の支援を行っている。たとえば、ＣＰＵ２６では、外部入力処理器２５を経て指定される所定のサービスに従い、トランスポート処理器２２を経てＤＲＡＭ２７上に再生展開されるＰＳＩデータを解析し、指定されたサービス（番組）を構成する映像、音声などの各伝送識別子をトランスポート処理器２２にセットする。さらに、映像／音声復号器２３や提示制御処理器２４などの周辺回路の動作を制御する。特に提示制御処理器２４には、必要に応じ、ＤＲＡＭ２７上に再生展開されるＳＩ等の番組関連情報を加工編集し、ＥＰＧ（電子番組ガイド）を、作成表示を実行するよう指示する。なお、ユーザの設定情報など電源ＯＦＦ後も記憶が必要な情報についてはＮＶＲＡＭ２８に保持しておく。また、一連の処理プログラムなどはＲＯＭ２９に格納しておき、電源ＯＮ時にロードして起動させる。
【００１７】
なお、モデム／ＬＡＮ２１１は、有料放送での視聴履歴などを視聴履歴収集センター（図示せず）へ送信したり、所定の通信サイトからコンテンツや番組関連情報などを受信するなど必要に応じて双方向通信したりする。ＬＡＮの場合には外部のｘＤＳＬモデムや回線終端装置等（図示せず）を介して回線に接続される。
【００１８】
また、番組を蓄積処理する機能を有する場合には視聴者からリモコンなどから外部入力受信処理器２５を経て直接あるいは録画予約にしたがい番組の記録開始が指定されると、この通知を受けたＣＰＵ２６は放送信号のリアルタイム再生の場合と同様に指定された番組関連情報を解析し、トランスポート処理器２２に各伝送識別子を設定する。この結果、トランスポート処理器２２では必要な信号を多重分離してＨＤＤ２１０へ出力する。なお、ＨＤＤ２１０は蓄積メディアの一例であって他の蓄積メディアでもよく、さらにＩＲＤの外部に存在して接続されていてもよい。そして、この蓄積再生処理の場合には、ＨＤＤ２１０に蓄積される番組を視聴者が直接もしくは再生予約にしたがって選択し、蓄積される番組の信号フォーマットにしたがいトランスポート処理器２２や映像／音声圧縮復号器２３へ出力し、リアルタイム再生の場合と同様に再生する。
【００１９】
さて上記のような受信装置において、通信経由で番組の各セグメント・データを取得する場合について考える。セグメント・データを蓄積せずストリーミング受信する場合、ＨＤＤ２１０は必須ではない。まず、その全体処理の一例を図１に示す。
【００２０】
（Ｓ１１）で対象番組全体の情報を通信経由でまず取得する。また、この番組のセグメント情報を同様に取得（Ｓ１２）し、これらの情報に基づき（Ｓ１３）でセグメント提示順テーブルを作成し設定する。（Ｓ１４）でこの番組の連続再生コマンドを受け付けると、このセグメント提示順にしたがって連続再生を制御（Ｓ１６）し、連続再生停止コマンドを受け付ける（Ｓ１７）まで継続する。なお、連続再生コマンドは図３に示すようにリモコンに専用の連続再生ボタンを設け、利用性を向上させる。
【００２１】
次に、各処理の詳細に関し説明する。図４に提示順設定処理の一例を示す。（Ｓ４１）は図１０の（Ｓ１２）に該当し、たとえば、所定の通信サイト経由でモデム／ＬＡＮ２１１を通じて、蓄積した当該番組のセグメント情報（セグメンテーションメタデータ）を取得する。セグメント情報には番組内の各セグメントのジャンル／キーワードなどの属性情報や開始時間、セグメント時間を含む位置情報などが記載されている。（Ｓ４２）ではこれらの情報を基に図５（ａ）のような提示順テーブルを作成する。ただし、この時点での提示順は暫定的な値が設定されるものとする。このテーブルを基に（Ｓ４３）ではたとえば図６に示すような提示順の設定を促す画面を表示する。
【００２２】
（Ｓ４４）で視聴者からの提示順入力を受け付けると（Ｓ４５）でこのテーブルに設定値を登録して、これを設定終了（Ｓ４６）するまで繰り返し行う。
次に、連続再生制御処理の一例を図７に示す。（Ｓ７１）で連続再生処理の初期化設定、たとえば最初の再生対象セグメントのエントリを指定する。（Ｓ７２）では提示順テーブルにおける当該エントリの記載内容、たとえばセグメント・データが配置されているＵＲＬなどの位置情報や開始時間やセグメント時間長などを、対象サイトのセグメント・データおよびセグメントメタデータの更新状況に合わせて随時更新する。（Ｓ７３）でそのセグメント・データ取得のためにＵＲＬを設定し、セグメント再生（Ｓ７４）を終了またはスキップ指示を受け付けるまで実行する。終了またはスキップ指示を受け付ける（Ｓ７５）と（Ｓ７６）で対象セグメントエントリを次に進め、提示順テーブルの全セグメントが再生を終了しているかを判定（Ｓ７７）し、終了していなければ（Ｓ７３）に戻り、セグメント再生処理を繰り返す。
【００２３】
以上のような一連の処理を実行することで、視聴者の意向を反映させながら効率的に再生することが可能になる。図８にこの一例に示す。同図（ａ）は通常視聴した時の場合であり、「天気」、「交通情報」、「ニュース」、「スポーツ」の順に提示優先順位を設定することで、６：２５〜６：３０あるいは６：５５〜７：００放送の「天気」、６：５５〜７：００放送の「交通情報」、６：３０〜６：４０放送の「ニュース」、６：１５〜６：２５放送の「スポーツ」を同図（ｂ）のように、たとえば視聴者の指示する７：００からそれぞれ順に連続再生する。
【００２４】
なお、本実施形態ではテレビ放送の番組を想定して説明したが、超短波放送の番組や通信経由で提供される番組であってもよい。また、セグメント情報に関しては通信経由で取得する場合について説明したが、放送経由で供給される場合にその情報を用いても本質的に差異はない。
【００２５】
さらに、上記はリモコンに連続再生ボタンを設ける場合について説明したが、受信装置本体に同ボタンを設けてもよい。
実施形態２
実施形態２として、蓄積機能を利用して簡単に連続再生する場合について説明する。まず図９にこの全体処理例を示す。
（Ｓ９１）で対象番組を蓄積する。また、この番組のセグメント情報を取得（Ｓ９２）し、この情報に基づき（Ｓ９３）でセグメント提示順テーブルを作成し設定する。（Ｓ９４）で連続再生コマンドを受け付けると、このセグメント提示順にしたがって連続再生を制御（Ｓ９５）し、連続再生停止コマンドを受け付ける（Ｓ９６）まで継続する。なお、連続再生コマンドは図３に示すようにリモコンに専用の連続再生ボタンを設け、利用性を向上させる。
【００２６】
次に各処理の詳細に関し説明する。提示順設定処理は図４に示す実施形態１と基本的に同様である。（Ｓ４２）においてこれらの情報を基に図５（ｂ）のように開始時間のフィールドを持つ提示順テーブルを作成する点が若干異なる。
【００２７】
次に、連続再生制御処理の一例を図１０に示す。（Ｓ１０１）で連続再生処理の初期化設定、たとえば最初の再生対象セグメントのエントリを指定する。（Ｓ１０２）では提示順テーブルにおける当該エントリの開始時間やセグメント時間などの記載内容を放映番組の時間進行に合わせて随時更新する。（Ｓ１０３）でそのセグメント時間、（Ｓ１０４）で再生開始時間の情報を基に計算するなどして当該セグメントのＨＤＤあるいはそのファイル上の再生位置を設定する。そして（Ｓ１０５）で再生時間の計時を開始し、セグメント再生（Ｓ１０６）を終了またはスキップ指示を受け付けるまで実行する。終了またはスキップ指示を受け付ける（Ｓ１０７）と再生時間の計時を停止、リセット（Ｓ１０８）し、（Ｓ１０９）で対象セグメントエントリを次に進め、すべて再生を終了しているかを判定（Ｓ１０１０）し、終了していなければ（Ｓ１０３）に戻り、セグメント再生処理を繰り返す。
【００２８】
実施形態３
さらに実施形態３として、セグメント連続再生のリピート再生ができる場合を考える。この例でも便宜上、蓄積機能を利用した場合について説明するが、実施形態１と同様に、蓄積機能を利用せず通信機能のみを利用した場合と本質的に際はない。
【００２９】
図１１に連続再生制御の一例を示す。（Ｓ１１）で連続再生停止ではない限り（Ｓ７１）に戻って処理を繰り返す点を除けば実施形態１の図１０と同様である。なお、リピートの上限回数を設けて、リピート回数をカウントしながら上限回数まで繰り返すことも可能である。また、提示順テーブルを複数用意したり同一テーブル内で複数の設定を記載するなどして、リピート回数毎に異なる提示順を指定することも可能である。
【００３０】
なお、実施形態２，３ではテレビ放送の番組を想定して説明したが、超短波放送の番組や通信経由で提供される番組であってもよい。また、セグメント情報に関しては通信経由で取得する場合について説明したが、放送経由で供給される場合、その情報を用いても本質的に差異はない。
【００３１】
さらに、上記はリモコンに連続再生ボタンを設ける場合について説明したが、受信装置本体に同ボタンを設けてもよい。
【００３２】
【発明の効果】
以上説明したように、この発明の放送通信受信装置によれば、対象番組を短時間のうちに番組内の視聴者の希望する部分から効率よくしかも簡単に連続再生を実行して視聴させることが可能になる。
【図面の簡単な説明】
【図１】本発明の実施携帯における全体処理手順
【図２】本発明のデジタル放送受信装置の構成図
【図３】連続再生コマンド入力装置の構成例
【図４】セグメント提示順設定処理
【図５】提示順テーブルの例ａ）通信機能を利用した場合、ｂ）蓄積機能を利用した場合
【図６】提示順設定表示画面の一例
【図７】連続再生制御
【図８】セグメント指定連続再生の実現例
【図９】本発明の実施形態２における全体処理手順
【図１０】本発明の実施形態２における連続再生制御
【図１１】本発明の実施形態３における連続再生制御
【符号の説明】
２１・・・フロントエンド処理
２２・・・トランスポート処理
２３・・・ＭＰＥＧ映像／音声でコーダ
２４・・・提示制御処理
２５・・・外部入力受信処理
２６・・・ＣＰＵ
２７・・・ＲＡＭ
２８・・・ＮＶＲＡＭ
２９・・・ＲＯＭ
２１０・・・ＨＤＤ
２１１・・・モデム／ＬＡＮ
【図１】
2005033493.tif 000003
【図２】
2005033493.tif 000004
【図３】
2005033493.tif 000005
【図４】
2005033493.tif 000006
【図５】
2005033493.tif 000007
【図６】
2005033493.tif 000008
【図７】
2005033493.tif 000009
【図８】
2005033493.tif 000010
【図９】
2005033493.tif 000011
【図１０】
2005033493.tif 000012
【図１１】
2005033493.tif 000013